(57)【要約】【課題】彩度の高いトナーを効果的に利用することができる画像形成装置及び印刷制御方法の提供。【解決手段】第１のトナー群（例えば、通常トナー）と前記第１のトナー群よりも彩度が高い第２のトナー群（例えば、Ｖｉｖｉｄトナー）とが搭載された印刷部と、印刷対象となる元データをラスタライズして画像データを生成し、前記画像データに色変換を行って前記印刷部で処理可能な印刷データを生成する制御部と、を少なくとも備える画像形成装置において、前記制御部は、前記元データの種類を判別し、前記画像データの各ビットに、前記元データの種類を特定する種類情報を付加し、ビット毎の前記種類情報に基づいて、印刷に使用するトナー群を決定し、決定したトナー群に適した色変換を行う。【選択図】図１２
2011022402.tif 000002
【特許請求の範囲】
【請求項１】
第１のトナー群と前記第１のトナー群よりも彩度が高い第２のトナー群とが搭載された印刷部と、印刷対象となる元データをラスタライズして画像データを生成し、前記画像データに色変換を行って前記印刷部で処理可能な印刷データを生成する制御部と、を少なくとも備える画像形成装置において、
前記制御部は、前記元データの種類を判別し、前記画像データの各ビットに、前記元データの種類を特定する種類情報を付加し、ビット毎の前記種類情報に基づいて、印刷に使用するトナー群を決定し、決定したトナー群に適した色変換を行う、ことを特徴とする画像形成装置。
【請求項２】
前記元データは、ラスタデータ又はベクタデータであり、
前記制御部は、前記元データが前記ラスタデータの場合は、前記第１のトナー群を選択し、前記元データが前記ベクタデータの場合は、前記第２のトナー群を選択する、ことを特徴とする請求項１に記載の画像形成装置。
【請求項３】
第１のトナー群と前記第１のトナー群よりも彩度が高い第２のトナー群とが搭載された印刷部を備える画像形成装置を含むシステムにおける印刷制御方法であって、
印刷対象となる元データの種類を判別し、前記元データをラスタライズして生成した画像データの各ビットに、前記元データの種類を特定する種類情報を付加する第１のステップと、
ビット毎の前記種類情報に基づいて、印刷に使用するトナー群を決定し、決定したトナー群に適した色変換を行って、前記印刷部で処理可能な印刷データを生成する第２のステップと、を少なくとも有する、ことを特徴とする印刷制御方法。
【請求項４】
前記元データは、ラスタデータ又はベクタデータであり、
前記第２のステップでは、前記元データが前記ラスタデータの場合は、前記第１のトナー群を選択し、前記元データが前記ベクタデータの場合は、前記第２のトナー群を選択する、ことを特徴とする請求項３に記載の印刷制御方法。
【発明の詳細な説明】
【技術分野】
【０００１】
本発明は、画像形成装置及び印刷制御方法に関し、特に、色再現域の異なる複数種類のトナー群を備え、印刷する画像の応じたトナー群を使用して印刷を行う画像形成装置及び該画像形成装置を用いた印刷制御方法に関する。
【背景技術】
【０００２】
プリンタやデジタル複合機などの印刷装置（以下、画像形成装置と呼ぶ。）が普及している。この画像形成装置では、コンピュータ端末から送信される印刷ジョブに基づいて画像を形成し、帯電された感光体に画像に応じた光を照射して静電潜像を形成し、帯電したトナーを付着させて現像し、そのトナー像を転写ローラや転写ベルトなどの中間転写体を介して用紙に転写する処理を行う。
【０００３】
ここで、画像形成装置に使用されるトナーなどの部材には各々、色の特性があり、再現しやすい色もあれば再現しにくい色もある。そこで、画像形成に際して、これらの部材の色の特性を考慮して、元の画像の色をできるだけ忠実に再現できるように所定の画像処理を行っている。
【０００４】
例えば、下記特許文献１には、対象となる画像の特性を自動認識し、その画像特性に応じて最適な色再現処理（カラーマッチング）方式に切り替える装置が開示されている。また、下記特許文献２には、アプリケーション上の色情報を取得し、取得した色情報をページ記述言語に変換し、各色毎に濃度や線幅などを変更してプリンタに送信する印刷制御方法が開示されている。
【先行技術文献】
【特許文献】
【０００５】
【特許文献１】特開２００２−１８２６３４号公報
【特許文献２】特開２００２−２５９１０９号公報
【発明の概要】
【発明が解決しようとする課題】
【０００６】
このように、画像特性に応じて再現方式を切り替えることにより、元の画像に近い色を再現することは可能であるが、ＣＭＹ又はＣＭＹＫの各トナーで構成されるトナー群には、再現可能な色の範囲（色再現域と呼ぶ。）があるため、元の画像の中に色再現域外の色が含まれる場合は、所望の色の画像を再現することができない。
【０００７】
このような背景から、近年、従来使用されてきたトナー群（以下、通常トナーと呼ぶ。）よりも彩度の高い鮮やかな色が再現できるトナー群（以下、Ｖｉｖｉｄトナーと呼ぶ。）が開発されており、このＶｉｖｉｄトナーを搭載した画像形成装置を利用することにより、通常トナーの色再現域外の色をより忠実に再現することが可能である。
【０００８】
このＶｉｖｉｄトナーは通常のトナーでは再現できない色領域まで再現できるメリットがあるが、その反面、中間のグラデーション域が通常トナーに比べ荒くなってしまうデメリットがある。従って、Ｖｉｖｉｄトナーの特性を生かすためには、元の画像に応じてトナー群を選択することが望ましいが、従来は、色再現域の異なる複数種類のトナー群を備えた画像形成装置はなく、また、元の画像に応じて適切なトナー群を選択する手法は無かったため、上記問題を解決することができなかった。
【０００９】
本発明は、上記問題点に鑑みてなされたものであって、その主たる目的は、彩度の高いトナーを効果的に利用することができる画像形成装置及び印刷制御方法を提供することにある。
【課題を解決するための手段】
【００１０】
上記目的を達成するため、本発明は、第１のトナー群と前記第１のトナー群よりも彩度が高い第２のトナー群とが搭載された印刷部と、印刷対象となる元データをラスタライズして画像データを生成し、前記画像データに色変換を行って前記印刷部で処理可能な印刷データを生成する制御部と、を少なくとも備える画像形成装置において、前記制御部は、前記元データの種類を判別し、前記画像データの各ビットに、前記元データの種類を特定する種類情報を付加し、ビット毎の前記種類情報に基づいて、印刷に使用するトナー群を決定し、決定したトナー群に適した色変換を行うものである。
【００１１】
また、本発明は、第１のトナー群と前記第１のトナー群よりも彩度が高い第２のトナー群とが搭載された印刷部を備える画像形成装置を含むシステムにおける印刷制御方法であって、印刷対象となる元データの種類を判別し、前記元データをラスタライズして生成した画像データの各ビットに、前記元データの種類を特定する種類情報を付加する第１のステップと、ビット毎の前記種類情報に基づいて、印刷に使用するトナー群を決定し、決定したトナー群に適した色変換を行って、前記印刷部で処理可能な印刷データを生成する第２のステップと、を少なくとも有するものである。
【発明の効果】
【００１２】
本発明の画像形成装置及び印刷制御方法によれば、彩度の高いトナーを効果的に利用することができる。
【００１３】
その理由は、色再現域の異なる第１のトナー群と第２のトナー群などの複数種類のトナー群を画像形成装置に搭載し、印刷対象となる画像が写真画像などのラスタデータであるか、テキストや図、ＣＧ（Computer Graphics）画像などのベクタデータであるかに応じて、使用するトナーを決定する制御を行うからである。
【００１４】
このように、Ｖｉｖｉｄトナーの苦手とする画像（主に写真画像）を出力するときには通常トナーを使用し、その他のテキストや図、ＣＧ画像等を出力するときにはＶｉｖｉｄトナーを使用することで、滑らかな階調と特徴的な色再現とを両立することができる。
【図面の簡単な説明】
【００１５】
【図１】本発明の一実施例に係る印刷システムの構成例を示す図である。
【図２】本発明の一実施例に係るコンピュータ端末の構成を示すブロック図である。
【図３】本発明の一実施例に係る画像形成装置の構成を示す模式図である。
【図４】本発明の一実施例に係る画像形成装置の構成を示すブロック図である。
【図５】本発明の一実施例に係る画像形成装置の印刷部の具体的構成を示す図である。
【図６】Ｖｉｖｉｄトナーと通常トナーの色再現域を示す図である。
【図７】本発明の一実施例に係るコンピュータ端末の表示部に表示される画面（プリンタドライバ画面）の一例を示す図である。
【図８】本発明の一実施例に係るコンピュータ端末の表示部に表示される画面（プロパティ画面）の一例を示す図である。
【図９】本発明の一実施例に係るコンピュータ端末におけるユーザ操作の手順を示すフローチャート図である。
【図１０】本発明の一実施例に係るコンピュータ端末におけるプリンタドライバの動作を示すフローチャート図である。
【図１１】本発明の一実施例に係る画像形成装置の全体動作を示すフローチャート図である。
【図１２】本発明の一実施例に係る画像形成装置におけるＣＭＹＫ印刷データへの変換手順を示すフローチャート図である。
【発明を実施するための形態】
【００１６】
背景技術で示したように、Ｖｉｖｉｄトナーを搭載した画像形成装置では、通常トナーを搭載した画像形成装置よりも彩度の高い鮮やかな色が再現可能である。しかしながら、Ｖｉｖｉｄトナーは通常トナーより再現できる色域が広いが、その広い色域を通常トナーと同じ数の段階（階調数）にしか分解制御できないため、隣り合う２階調の濃度差が大きくなってしまう。
【００１７】
従って、印刷対象に応じてトナーを使い分けることが望まれるが、従来は、全ての印刷対象に対してＶｉｖｉｄトナーのみ、または通常トナーのみを使用するため、Ｖｉｖｉｄトナーのみを使用した場合には滑らかな階調が得られず、逆に通常トナーのみを使用した場合には他のプリンタと同様の色再現しかできず、ユーザが期待した印刷物が得られないという問題があった。
【００１８】
そこで、本発明の一実施の形態では、まず、画像形成装置に、第１のトナー群（例えば、通常トナー）と、第１のトナー群よりも彩度の高い（色再現域の広い）第２のトナー群（例えば、Ｖｉｖｉｄトナー）などの複数種類のトナー群を搭載する。そして、画像形成装置で印刷対象となる画像を判断し、Ｖｉｖｉｄトナーに有効な画像の場合はＶｉｖｉｄトナーを使用し、Ｖｉｖｉｄトナーに適さない（通常トナーの方が適する）画像の場合には、通常トナーを使用するように制御する。
【００１９】
これにより、写真などの階調性の必要なデータは、通常トナーを使用することで自然な仕上がりとなり、コンピューターグラフィックスのようなデータは、Ｖｉｖｉｄトナーを使用することで特徴的な色再現が可能となり、それぞれのトナーの特性を生かし、滑らかなグラデーションと目を引く鮮やかな画像の両方を併せ持つ印刷出力を得ることができる。
【実施例】
【００２０】
上記した本発明の一実施の形態についてさらに詳細に説明すべく、本発明の一実施例に係る画像形成装置及び印刷制御方法について、図１乃至図１２を参照して説明する。図１は、本実施例の印刷システムの構成を示す図であり、図２は、コンピュータ端末の構成、図３乃至図５は、画像形成装置の構成を示す図である。また、図６は、通常トナーとＶｉｖｉｄトナーの色再現域を示す図であり、図７及び図８は、コンピュータ端末の表示部に表示される画面の一例を示す図である。また、図９及び図１０は、コンピュータ端末における動作を示すフローチャート図であり、図１１及び図１２は、画像形成装置における動作を示すフローチャート図である。
【００２１】
図１に示すように、本実施例の印刷システムは、印刷ジョブを送受信する１又は複数のコンピュータ端末１０と、印刷ジョブを受信して印刷を実行する１又は複数の画像形成装置２０とで構成され、これらは、イーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク３０によって接続されている。
【００２２】
また、図２に示すように、コンピュータ端末１０は、制御部１１と、表示部１２と、操作部１３などで構成される。
【００２３】
制御部１１は、ＣＰＵ（Central Processing Unit）１１ａ、ＲＯＭ（Read Only Memory）、ＲＡＭ（Random Access Memory）などのメモリ１１ｂ、ＨＤＤ（Hard Disk Drive）１１ｃ、通信Ｉ／Ｆ部１１ｄなどを備え、これらはバスを介して接続されている。ＣＰＵ１１ａは、各部の制御を行う。メモリ１１ｂは、ＨＤＤ１１ｃ、通信Ｉ／Ｆ部１１ｄから読み込んだ種々のデータを一時的に記憶する部分であり、記憶されたデータはＣＰＵ１１ａによって処理され、必要に応じてＨＤＤ１１ｃや通信Ｉ／Ｆ部１１ｄに転送される。ＨＤＤ１１ｃは、ＣＰＵ１１ａが各部を制御するためのプログラム、自装置の処理機能に関する情報、印刷ジョブなどを格納し、ＣＰＵ１１ａにより必要に応じて読み出され、メモリ１１ｂ上で実行処理される。通信Ｉ／Ｆ部１１ｄは、通信ネットワーク３０を介して繋がっている機器との接続を確立し、データの送受信を実行する。
【００２４】
上記制御部１１は、文書を作成するためのアプリケーションや文書の印刷を指示するプリンタドライバとして機能し、アプリケーションで作成した文書データは、プリンタドライバにより、画像形成装置２０で読み取り可能な言語（ＰＣＬ（Printer Control Language）やＰＳ（Post Script）などのＰＤＬ（Page Description Language））の印刷ジョブに変換され、通信Ｉ／Ｆ部１１ｄを介して画像形成装置２０に送信される。
【００２５】
表示部１２は、液晶表示装置（ＬＣＤ：Liquid Crystal Display）や有機ＥＬ（electroluminescence）表示装置等からなり、画像形成装置２０へ送信する印刷ジョブを設定するためのプリンタドライバ画面やプロパティ画面等を表示する。
【００２６】
操作部１３は、表示部１２上に表示された情報を操作したり、情報を入力したりする部分であり、ポインティングデバイス、キーボード、トラックボール、トラックパッド、タブレット、及びスタイラスペンなどで構成される。
【００２７】
また、図３及び図４に示すように、画像形成装置２０は、制御部２１と、ＡＤＦ（Auto Document Feeder：自動原稿送り装置）２２と、画像読取部２３と、表示部２４と、操作部２５と、給紙部２６と、印刷部２７と、後処理部２８などで構成される。
【００２８】
制御部２１は、各構成部を制御する部分で、ＣＰＵ２１ａ、ＲＯＭやＲＡＭなどのメモリ２１ｂ、ＨＤＤ２１ｃ、通信Ｉ／Ｆ部２１ｄなどを備え、これらはバスを介して接続されている。ＣＰＵ２１ａは各部の制御などを行う。メモリ２１ｂは、ＨＤＤ２１ｃ、画像読取部２３、通信Ｉ／Ｆ部２１ｄから読み込んだ種々のデータを一時的に記憶する部分で、記憶されたデータはＣＰＵ２１ａによって画像処理され、必要に応じてＨＤＤ２１ｃや印刷部２７に転送される。ＨＤＤ２１ｃは、ＣＰＵ２１ａが各部を制御するためのプログラム、自装置の処理機能に関する情報、所定の色空間における各トナー群の色再現域を規定するデータ、後述するＩＣＣ（International Color Consortium）プロファイルなどを格納し、ＣＰＵ２１ａにより必要に応じて読み出され、メモリ２１ｂ上で実行処理される。通信Ｉ／Ｆ部２１ｄは、通信ネットワーク３０を介して繋がっている機器との接続を確立し、データの送受信を実行する。
【００２９】
上記制御部２１は、印刷ジョブのプリントファイル（元データと呼ぶ。）をラスタライズしてビットマップ形式の画像データを作成し、画像処理（色変換処理）やスクリーニングを行って、印刷部２７に出力する画像処理部としても機能する。この画像処理部は、元データが写真画像などのラスタデータか、テキストや図、ＣＧ画像などのベクタデータかを判断し、ビットマップ形式の画像データのビット毎に、元データの種類を特定する情報（以下、種類情報と呼ぶ。）を付加する機能、及び、上記種類情報に応じたＩＣＣプロファイルを選択して色変換処理を行い、印刷に使用するトナーを決定する機能を備えている。
【００３０】
ＡＤＦ２２は、単数もしくは複数枚の原稿用紙を自動で画像読取部２３へ搬送する部分である。
【００３１】
画像読取部２３は、原稿台上の原稿用紙から画像データを光学的に読み取る部分であり、原稿を走査する光源と、原稿で反射された光を電気信号に変換するＣＣＤ（Charge Coupled Devices）等のイメージセンサと、電気信号をＡ／Ｄ変換するＡ／Ｄ変換器等により構成される。
【００３２】
表示部２４は、液晶表示装置や有機ＥＬ表示装置等からなり、画像形成装置２０を操作するための各種画面を表示する。また、操作部２５は、ボタンやスイッチ等からなり、各種設定や指示を行う。なお、表示部２４と操作部２５は別々の装置としても良いし、表示部２４上に、透明電極が格子状に配置された感圧式の操作部（タッチパネル）２５を設けた一体の装置としてもよく、タッチパネルの場合は、手指やタッチペン等で押下された力点のＸＹ座標を電圧値で検出し、検出された位置信号を操作信号として制御部２１に出力する。
【００３３】
給紙部２６は、各種サイズの用紙を格納する用紙トレイで構成される。また、格納された用紙を印刷部２７へ送り出す部分を含む。
【００３４】
印刷部２７は、電子写真方式や静電記録方式等の作像プロセスを利用した画像形成に必要な構成要素で構成され、制御部２１から受け取った色変換後の画像データに基づいて、指定された用紙に画像を形成し、後処理部２８に送り出す。
【００３５】
具体的には、印刷部２７は、図５に示すように、書き込みユニットと感光体ユニットと転写ユニットと搬送ユニットなどで構成される。書き込みユニットは、レーザダイオードなどで構成され、画像処理部から入力されたビットマップデータに基づいてレーザ光を照射して露光する。感光体ユニットは、感光体ドラム、現像器、帯電器、感光体クリーニング部などで構成され、感光体ドラム上に現像器から供給されたトナーの潜像を形成する。本実施例では、所定の色再現域を有する第１のトナー群（ここでは通常トナー）のイエロー（Ｙ）、マゼンタ（Ｍ）、シアン（Ｃ）と、前記所定の色再現域とは異なる色再現域を有する第２のトナー群（ここではＶｉｖｉｄトナー）のイエロー（Ｙ）、マゼンタ（Ｍ）、シアン（Ｃ）と、黒（Ｋ）の計７色のトナーに対応する７つの感光体ユニットを備える。転写ユニットは、１次転写ドラム、中間転写ベルト、ベルトクリーニング部、２次転写ローラ、ローラクリーニング部などで構成され、感光体ユニットで形成されたトナー像を中間転写体として機能する中間転写ベルトに転写した後、中間転写ベルト上に形成されたトナー像を用紙に転写する。定着ユニットは、定着器、定着器クリーニング部などで構成され、用紙に転写されたトナー像を定着させる。搬送ユニットは、給紙ローラ、レジストローラ、ループローラ、反転ローラ、排紙ローラなどで構成され、給紙部２６から所望の用紙を２次転写ローラに搬送し、定着後の用紙を後処理部２８に排出する。
【００３６】
後処理部２８は、印刷部２７から搬送される用紙を、制御部２１からの指示により、パンチ・ステープル・製本などのユーザの希望するフィニッシング処理を加えて出力する。
【００３７】
なお、図１乃至図５は本実施例の一例であり、適宜変更可能である。例えば、画像形成装置２０をプリンタとして使用する場合は、ＡＤＦ２２や画像読取部２３を省略してもよいし、後処理を行う必要が無い場合は、後処理部２８を省略してもよい。また、図５では、７色のトナーを使用する場合を示したが、第１のトナー群のＹＭＣＫと、第２のトナー群のＹＭＣＫの計８色のトナーを使用してもよい。また、図５では、色毎に各トナーを配置（例えば、第１のトナー群のＹと第２のトナー群のＹを隣同士に配置）したが、トナーの種類毎（例えば、第１のトナー群のＹＭＣを隣同士に配置）してもよい。
【００３８】
また、図１では、印刷システムをコンピュータ端末１０と画像形成装置２０とで構成したが、通信ネットワーク３０に、印刷ジョブをビットマップデータに変換するＲＩＰ（Raster Image Processor）コントローラ等の制御装置が接続される構成としても良く、その場合は、制御装置で上記制御部２１の処理を実行すればよい。
【００３９】
次に、本実施例で用いる２種類のトナー群の特性について説明する。図６は、一般的にガモット（Gamut：プリンタ、モニタなどの周辺機器が再現できる色の範囲）と呼ばれる表現方法に、通常トナーとＶｉｖｉｄトナーの色再現域を表したものであり、Ｌａｂ値（Ｌ軸＝明るさ、ａ軸＝緑〜赤、ｂ軸＝青〜黄）で表される色空間立体イメージを上から見たものである。
【００４０】
図６より、Blue、Magenta、Red、Greenに関しては、通常トナーの色再現域（図の破線の領域）よりもＶｉｖｉｄトナーの色再現域（図の実線の領域）の方が広いことが分かる。また、Cyanに関しては、Ｖｉｖｉｄトナーの色再現域よりも通常トナーの色再現域の方が広いことが分かる。また、粗いドットのハッチング領域は、通常トナー及びＶｉｖｉｄトナーの双方で再現可能な色の領域を示しており、細かいドットのハッチング領域は、Ｖｉｖｉｄトナーのみが再現可能な色の領域を示しており、斜線のハッチング領域は、通常トナーのみが再現可能な色の領域を示している。
【００４１】
なお、本実施例における複数種類のトナー群は、色再現域の少なくとも一部が相重なるトナー群の組み合わせであればよく、各トナー群の色再現域は特に限定されない。例えば、図６では、各々のトナー群でのみ再現可能な領域を有する組み合わせとしたが、一方のトナー群の色再現域が他方のトナー群の色再現域を包含する組み合わせとしてもよい。
【００４２】
以下、上記構成の印刷システムを用いて印刷を行う手順について説明する。
【００４３】
まず、本実施例のコンピュータ端末１０におけるユーザの操作について、図９のフローチャート図、図７及び図８の画面例を参照して説明する。
【００４４】
＜ユーザの操作＞
コンピュータ端末１０の制御部１１は、アプリケーションを動作させ、ユーザは、アプリケーションを使用して所望の色が指定された文書データを作成する（Ｓ１０１）。
【００４５】
次に、アプリケーションのファイルメニューなどにより印刷を指示すると（Ｓ１０２）、制御部１１は、プリンタドライバを動作させ、表示部１２に図７に示すようなプリンタドライバ画面４０を表示させる。このプリンタドライバ画面４０には、プリンタや印刷範囲、印刷部数、印刷対象や印刷指定、拡大／縮小などを設定する欄が設けられている、ユーザは操作部１３を操作して各項目の設定を行う。
【００４６】
次に、プリンタ指定欄のプロパティボタンを押下すると、制御部１１は、表示部１２に図８に示すようなプロパティ画面４１を表示させる。このプロパティ画面４１には、印刷に関する詳細項目を設定する欄が設けられており、ユーザは操作部１３を操作して、例えば、原稿サイズ、出力サイズ、印刷方法（片面、両面、小冊子等）、仕上げ（ステープル、パンチ）などの選択を行う（Ｓ１０３）。
【００４７】
そして、ユーザは詳細項目の設定を行った後、プロパティ画面４１のＯＫボタンを押す（Ｓ１０４）。
【００４８】
次に、本実施例のコンピュータ端末におけるプリンタドライバの処理について、図１０のフローチャート図を参照して説明する。
【００４９】
＜プリンタドライバの処理＞
まず、プリンタドライバは、プロパティ画面４１で設定された各種パラメータを解釈し、これらを印刷ジョブに記述可能な設定情報に変換する（Ｓ２０１）。
【００５０】
次に、プリンタドライバは、プリンタドライバ画面４０でＯＫボタンが押されたかを監視し（Ｓ２０２）、ＯＫボタンが押されたら、アプリケーションで作成された文書データをＰＤＬのプリントファイル（元データ）に変換し（Ｓ２０３）、変換された各種設定情報とプリントファイルとを含む印刷ジョブを画像形成装置２０に送信する（Ｓ２０４）。
【００５１】
次に、本実施例の画像形成装置２０の動作について、図１１及び図１２のフローチャート図を参照して説明する。なお、画像形成装置２０のメモリ２１ｂ又はＨＤＤ２１ｃには、所定の色空間における第１のトナー群（ここでは通常トナー）及び第２のトナー群（ここではＶｉｖｉｄトナー）の色再現域を規定するデータ及びＩＣＣプロファイル（各デバイスの色に関する特性が記述されたデバイスプロファイル）が予め記憶されているものとする。
【００５２】
画像形成装置２０の制御部２１は、プリンタドライバより送信される印刷ジョブを受信し（Ｓ３０１）、受信が完了したら（Ｓ３０２のＹｅｓ）、制御部２１（画像処理部）は、プリントファイル（元データ）をラスタライズし、例えばビットマップ形式の画像データに変換する（Ｓ３０３）。そして、その画像データをメモリ２１ｂやＨＤＤ２１ｃに格納する（Ｓ３０４）。
【００５３】
次に、制御部２１（画像処理部）は、メモリ２１ｂやＨＤＤ２１ｃから画像データを取り出し、その画像データの元となるプリントファイル（元データ）が、ラスタデータ（数字の羅列＋Ｔｉｆ／ｊｐｅｇ等の文字入り数値の羅列）か、ベクタデータ（コマンドの羅列）かを判断し（Ｓ３０５）、ビット毎にプリントファイル（元データ）の種類情報を付加する（Ｓ３０６）。
【００５４】
具体的に説明すると、ベクタデータは、図形を点の座標、線の属性、面の属性で表し、それぞれは起点、方向、距離等の情報を含んでいる。プリントファイルはそれらの情報を表すコマンドにより形成されている。制御部２１（画像処理部）は、ベクタデータを表すコマンドを解釈してラスタライズし、出力された（変換された）ビットに元データがベクタデータであることを示す種類情報を付加する。
【００５５】
一方、ラスタデータは、点とその点の色や濃度等を用いて表し、その点の集合として画像を形成している。制御部２１（画像処理部）は、各点を自らが保持している濃度補正カーブ等を用いて補正し、自装置の特性に合わせた画像データに変換する。その際、変換したビットに元データがラスタデータであることを示す種類情報を付加する。
【００５６】
この処理により、各ビットは、そのビットが表す色の情報とその色の階調データを保持すると共に、元データがラスタデータであるかベクタデータであるかを示す種類情報をフラグデータとして保持することになる。このフラグデータはラスタデータとベクタデータの両方が同時にＯＮになることは無い。なお、この元データの種類情報は、タグビットの一情報として保持しても良い。
【００５７】
そして、元データの種類情報が付加された画像データは、再びメモリ２１ｂやＨＤＤ２１ｃに格納される（Ｓ３０７）。
【００５８】
次に、制御部２１（画像処理部）は、ＩＣＣプロファイルを用いて、メモリ２１ｂやＨＤＤ２１ｃに格納した画像データを、ビット単位で、それぞれのトナー群を用いた場合の印刷データに変換する（Ｓ３０８）。このステップについて、図１２のフローチャート図を参照して具体的に説明する。
【００５９】
まず、メモリ２１ｂやＨＤＤ２１ｃに格納されている画像データを１ビットずつ取り出し（Ｓ４０１）、フラグデータを判別して、元データがラスタデータかベクタデータかを判断する（Ｓ４０２）。
【００６０】
ラスタデータの場合には、通常トナー用ＩＣＣプロファイルを用いて色変換処理を行い（Ｓ４０３）、通常トナーＣＭＹＫのどれを使用するかを決定する（Ｓ４０４）。一方、ベクタデータの場合には、Ｖｉｖｉｄトナー用ＩＣＣプロファイルを用いて色変換処理を行い（Ｓ４０５）、ＶｉｖｉｄトナーＣＭＹのどれを使用するかを決定する（Ｓ４０６）。
【００６１】
次に、画像データの全ビットに対する処理が終了したかを判断し（Ｓ４０７）、処理が終了していなければ、ステップＳ４０２に戻って同様の処理を繰り返す。上記処理により、ビット毎に、通常トナーのＣ、Ｍ、Ｙ、Ｋ値、またはＶｉｖｉｄトナーのＣ、Ｍ、Ｙ値を持つことになり、全ビットにＣ、Ｍ、Ｙ、Ｋ、Ｖｉｖｉｄ−Ｃ、Ｖｉｖｉｄ−Ｍ、Ｖｉｖｉｄ−Ｙのトナーのどれを使うかが確定する（Ｓ４０８）。
【００６２】
図１１のフローに戻って、制御部２１は、印刷ジョブで規定される各種設定情報を解析し、その設定値に従い、各色ドラムに対応する印刷データとして印刷部２７に送出し（Ｓ３０９）、印刷部２７で印刷処理を実行する（Ｓ３１０）。
【００６３】
以上説明したように、画像形成装置２０の印刷部２７に、色再現域の異なる第１のトナー群（通常トナー）と第２のトナー群（Ｖｉｖｉｄトナー）を搭載し、制御部２１では、元データがラスタデータかベクタデータかを判断し、元データをラスタライズした画像データに対して、ビット毎に元データの種類情報を付加し、元データの種類情報に応じて色変換処理を行い、使用するトナーを確定するため、彩度の高いトナーを効果的に利用することができる。
【００６４】
なお、上記実施例では、通常トナーとＶｉｖｉｄトナーの２種類のトナー群を利用する場合について説明したが、本発明は上記実施例に限定されるものではなく、色再現域の異なる３種以上のトナー群を利用することもできる。
【産業上の利用可能性】
【００６５】
本発明は、色再現域の異なる複数種類のトナー群を備える画像形成装置及び該画像形成装置を用いて印刷を制御する方法に利用可能である。
【符号の説明】
【００６６】
１０  コンピュータ端末
１１  制御部
１１ａ  ＣＰＵ
１１ｂ  メモリ
１１ｃ  ＨＤＤ
１１ｄ  通信Ｉ／Ｆ部
１２  表示部
１３  操作部
２０  画像形成装置
２１  制御部
２１ａ  ＣＰＵ
２１ｂ  メモリ
２１ｃ  ＨＤＤ
２１ｄ  通信Ｉ／Ｆ部
２２  ＡＤＦ
２３  画像読取部
２４  表示部
２５  操作部
２６  給紙部
２７  印刷部
２８  後処理部
３０  通信ネットワーク
４０  プリンタドライバ画面
４１  プロパティ画面
【図１】
2011022402.tif 000003
【図２】
2011022402.tif 000004
【図３】
2011022402.tif 000005
【図４】
2011022402.tif 000006
【図５】
2011022402.tif 000007
【図６】
2011022402.tif 000008
【図７】
2011022402.tif 000009
【図８】
2011022402.tif 000010
【図９】
2011022402.tif 000011
【図１０】
2011022402.tif 000012
【図１１】
2011022402.tif 000013
【図１２】
2011022402.tif 000014